(57)【要約】      （修正有）【課題】高温環境下において、端子台本体と端子間の一定値以上の絶縁抵抗値を保持し、流量計としての性能を維持させることができる耐圧防爆型変換器を提供する。【解決手段】変換器は、筒状の側壁と該側壁の中央部分に設けられた隔壁とを有し、前記隔壁に取付けられている端子台本体を備える端子室とアンプ室とを構成するケースであり、前記端子台本体が取付けられる前記隔壁の位置であって、前記アンプ室に至るまで開口された端子貫通孔に、前記端子台本体に装着されている端子と電気的に接続されて組付けられている導電板を貫通させ、その前記端子貫通孔に貫通させた導電板に対して、エポキシ樹脂を充填させて耐圧防爆型隔壁を形成する変換器であって、前記エポキシ樹脂を充填する際の導電板に対して、前記端子台本体を形成する部材を、エポキシ樹脂を充填する位置まで延長させて、前記導電板を覆うようにしたことである。【選択図】図１
2008191000.tif 000002
【特許請求の範囲】
【請求項１】
筒状の側壁と該側壁の中央部分に設けられた隔壁とを有し、前記隔壁に取付けられている端子台本体を備える端子室とアンプ室とを構成するケースであり、
前記端子台本体が取付けられる前記隔壁の位置であって、前記アンプ室に至るまで開口された端子貫通孔に、前記端子台本体に装着されている端子と電気的に接続されて組付けられている導電板を貫通させ、その前記端子貫通孔に貫通させた導電板に対して、第１樹脂を充填させて耐圧防爆型隔壁を形成する変換器であって、
前記第１樹脂を充填する際の導電板に対して、前記端子台本体を形成する部材を、前記第１樹脂を充填する位置まで延長させて、前記導電板を覆うようにしたことを特徴とする変換器。
【請求項２】
前記端子台本体を形成する部材はプラスチック部材であり、前記第１樹脂はエポキシ樹脂である請求項１に記載の変換器。
【請求項３】
前記端子台本体を形成する部材で前記導電板を覆った端部に第２樹脂を充填させたことを特徴とする請求項１に記載の変換器。
【請求項４】
前記第２樹脂は、シリコーンである請求項３に記載の変換器
【請求項５】
筒状の側壁と該側壁の中央部分に設けられた隔壁とを有し、前記隔壁に取付けられている端子台本体を備える端子室とアンプ室とを構成するケースであり、
前記端子台本体が取付けられる前記隔壁の位置であって、前記アンプ室に至るまで開口された端子貫通孔に、前記端子台本体に装着されている端子と電気的に接続されて組付けられている導電板を貫通させ、その前記端子貫通孔に貫通させた導電板に対して、第１樹脂を充填させて耐圧防爆型隔壁を形成する変換器であって、
前記第１樹脂を充填する位置の導電板に対して第３樹脂でコーティングしたことを特徴とする変換器。
【請求項６】
前記第１樹脂はエポキシ樹脂であり、前記第３樹脂はシリコーンである請求項５に記載の変換器。
【発明の詳細な説明】
【技術分野】
【０００１】
本発明は、例えば流量計の変換器に関し、詳しくは、防爆型変換器の端子台接続部に関する。
【背景技術】
【０００２】
従来技術における防爆型流量計変換器端子台接続部において、その変換器ケース１０は、図９〜図１２に示すように、筒状の側壁１１とこの側壁１１の中央部分に設けられた隔壁１２とを有し、この隔壁１２に取付けられている端子台本体１３を備える端子室１４とアンプ室１５とを構成する。
【０００３】
アンプ室１５は、螺合係合するアンプ蓋１６によって空間が遮蔽され、その遮蔽された空間内部にアンプを形成するプリント板１７が配設され、隔壁１２には端子室１４から導通されている導電板に接続する接続板１８を配設した構成になっている。
【０００４】
端子室１４は、螺合係合する端子蓋１９によって空間が遮蔽され、その遮蔽された中央位置であって隔壁１２に直線状に複数の端子２１を装着した端子台本体１３を備えた構成になっている。
【０００５】
この端子台本体１３が取付けられる隔壁１２の位置であって、アンプ室１５に至るまで開口された端子貫通孔２２を設けた構成になっている。
【０００６】
端子台本体１３は、プラスチック部材で形成され、装着されている複数の端子２１のそれぞれに電気的に接続されて組み付けられている導電板２３を備えた構成になっている。
このような端子台本体１３は、隔壁１２に設けた端子貫通孔２２に被せるようにしてガスケット２４を介在して取り付けられ、端子貫通孔２２に導電板２３を貫通させる。そして、隔壁１２の端子貫通孔２２の端部と端子台本体１３の間にはシリコーン２５が充填されて気密構造を保持している。
この端子貫通孔２２には導電板２３を貫通させた状態でエポキシ樹脂２６を充填させることにより隔壁１２の耐圧防爆に耐える構造としている。
【０００７】
以上のような構成における防爆型流量計変換器端子台接続部において、以下に示す３つの機能を有している。
（１）流量計の入出力端子
流量計の入出力用端子台として機能するために、端子台端子間（端子２１と導電板２３）において一定値以上の絶縁抵抗値を保持している。
（２）防爆隔壁
隔壁１２の端子貫通孔２２に充填したエポキシ樹脂２６により耐圧防爆隔壁を実現している。
（３）気密隔壁
気密構造を保つために端子台本体１３と隔壁１２の間にガスケット２４、端子台本体１３と導電板２３の間にはシリコーン２５が充填されている。
【特許文献１】特開２００４−２５１７５８号公報（第４頁乃至６頁  第１図）
【発明の開示】
【発明が解決しようとする課題】
【０００８】
しかしながら、従来技術で説明した端子台接続部において、エポキシ樹脂と端子台の導電板が直接接触した構造となっている。
そのため、エポキシ樹脂には吸湿性があり、高温環境下において空気中の水分をエポキシ樹脂が吸収し絶縁抵抗が劣化する。その結果、端子台本体の各端子間の絶縁抵抗が一定値以上を保持できなくなり流量計としての性能が維持できなくなるという問題がある。
【０００９】
従って、高温環境下において、流量計の性能、防爆耐圧隔壁、気密性の３つの機能を保持する流量計変換器端子台接続部を実現することに解決しなければならない課題を有する。
【課題を解決するための手段】
【００１０】
上記課題を解決するために、本願発明の変換器は、次に示す構成にしたことである。
【００１１】
（１）変換器は、筒状の側壁と該側壁の中央部分に設けられた隔壁とを有し、前記隔壁に取付けられている端子台本体を備える端子室とアンプ室とを構成するケースであり、前記端子台本体が取付けられる前記隔壁の位置であって、前記アンプ室に至るまで開口された端子貫通孔に、前記端子台本体に装着されている端子と電気的に接続されて組付けられている導電板を貫通させ、その前記端子貫通孔に貫通させた導電板に対して、第１樹脂を充填させて耐圧防爆型隔壁を形成する変換器であって、前記第１樹脂を充填する際の導電板に対して、前記端子台本体を形成する部材を、前記第１樹脂を充填する位置まで延長させて、前記導電板を覆うようにしたことである。
（２）前記端子台本体を形成する部材はプラスチック部材であり、前記第１樹脂はエポキシ樹脂である（１）に記載の変換器。
（３）前記端子台本体を形成する部材で前記導電板を覆った端部に第２樹脂を充填させたことを特徴とする（１）に記載の変換器。
（４）前記第２樹脂は、シリコーンである（３）に記載の変換器
【００１２】
（５）変換器は、筒状の側壁と該側壁の中央部分に設けられた隔壁とを有し、前記隔壁に取付けられている端子台本体を備える端子室とアンプ室とを構成するケースであり、前記端子台本体が取付けられる前記隔壁の位置であって、前記アンプ室に至るまで開口された端子貫通孔に、前記端子台本体に装着されている端子と電気的に接続されて組付けられている導電板を貫通させ、その前記端子貫通孔に貫通させた導電板に対して、第１樹脂を充填させて耐圧防爆型隔壁を形成する変換器であって、前記第１樹脂を充填する位置の導電板に対して第３樹脂でコーティングしたことである。
（６）前記第１樹脂はエポキシ樹脂であり、前記第３樹脂はシリコーンである（５）に記載の変換器。
【発明の効果】
【００１３】
本発明においては、端子台本体に取り付けられている導電板とエポキシ樹脂（第１樹脂）を直接接触させないようにすることにより、高温環境下においてエポキシ樹脂の吸湿性の影響を排除することができるため、端子台本体と端子間の一定値以上の絶縁抵抗値を保持し、流量計としての性能を維持させることができる。
【００１４】
又、導電板を覆うプラスチック部材の先端にシリコーン（第２樹脂）を充填させることにより、端子台本体の単体としての気密性を維持させることができると共に、端部にシリコーンを充填させることで、シリコーンの充填量を必要最小限にすることができる。
【００１５】
更に、エポキシ樹脂（第１樹脂）は従来と同じく端子貫通孔に充填させるようにしたことで従来の構造と同様の防爆型隔壁構造を維持させることができる。
【発明を実施するための最良の形態】
【００１６】
次に、本願発明に係る流量計の変換器の実施例について図面を参照して説明する。尚、従来技術で説明したものと同じものには同一符号を付与して説明する。
【００１７】
本願発明の第１実施例の流量計の変換器は、図１〜図４に示すように、防爆型流量計変換器端子台接続部において、その変換器ケース１０は、筒状の側壁１１とこの側壁１１の中央部分に設けられた隔壁１２とを有し、この隔壁１２に取付けられている端子台本体１３を備える端子室１４とアンプ室１５とを構成する。
【００１８】
アンプ室１５は、螺合係合するアンプ蓋１６によって空間が遮蔽され、その遮蔽された空間内部にアンプを形成するプリント板１７が配設され、隔壁１２には端子室１４から導通されている導電板２３に接続する接続板１８を配設した構成になっている。
【００１９】
端子室１４は、螺合係合する端子蓋１９によって空間が遮蔽され、その遮蔽された中央位置であって隔壁１２に直線状に複数の端子２１を装着した端子台本体１３を備えた構成になっている。
【００２０】
隔壁１２の一部には端子室１４からアンプ室１５に至るまで開口され、導電板２３を連通させるための端子貫通孔２２を設けた構成になっている。この端子貫通孔２２にはエポキシ樹脂（第１樹脂）が充填される構成になっている。
【００２１】
端子台本体１３は、プラスチック部材で形成され、装着されている複数の端子２１のそれぞれに電気的に接続されて組み付けられている導電板２３を備えた構成になっている。
この導電板２３は、端子台本体１３を形成するプラスチック部材を、エポキシ樹脂を充填する位置まで延長させた導通管２７により覆われる構成になっている。
【００２２】
このような構造の端子台本体１３は、隔壁１２に設けた端子貫通孔２２に被せるようにしてガスケット２４を介在して取り付ける。
この端子貫通孔２２には導通管２７で覆われた導電板２３を貫通させた状態で第１樹脂であるエポキシ樹脂２６を充填させることにより耐圧防爆に耐える構造としている。
そして、導通管２７の先端の端部には第２樹脂であるシリコーン２８が充填され、端子台本体１３の単体としての気密性を維持させることができると共に、シリコーン２８の充填量を必要最小限にすることができる。
【００２３】
このように、エポキシ樹脂２６で充填される端子貫通孔２２に貫通されている導電板２３に対して端子台本体１３と同部材のプラスチック部材（導通管２７）で覆うようにしたことで、エポキシ樹脂２６が直接導電板２３に接触することを回避することができ、エポキシ樹脂２６が空気中の水分を吸収しても、その水分が直接導電板２３に影響を与えないため、絶縁抵抗の劣化を防止し、一定値以上の絶縁抵抗を保持することができるのである。
【００２４】
次に、本願発明の第２実施例の流量計の変換器について、図面を参照して説明する。
【００２５】
本願発明の第２実施例の流量計の変換器は、図５〜図８に示すように、防爆型流量計変換器端子台接続部において、その変換器ケース１０は、筒状の側壁１１とこの側壁１１の中央部分に設けられた隔壁１２とを有し、この隔壁１２に取付けられている端子台本体１３を備える端子室１４とアンプ室１５とを構成する。
【００２６】
アンプ室１５は、螺合係合するアンプ蓋１６によって空間が遮蔽され、その遮蔽された空間内部にアンプを形成するプリント板１７が配設され、隔壁１２には端子室１４に配置された端子２１に接続されている導電板２３の端部と接続する接続板１８を配設した構成になっている。
【００２７】
端子室１４は、螺合係合する端子蓋１９によって空間が遮蔽され、その遮蔽された中央位置であって隔壁１２に直線状に複数の端子２１を装着した端子台本体１３を備えた構成になっている。
【００２８】
隔壁１２の一部には端子室１４からアンプ室１５に至るまで開口され、導電板２３を連通させるための端子貫通孔２２を設けた構成になっている。
【００２９】
端子台本体１３は、プラスチック部材で形成され、隔壁１２に設けた端子貫通孔２２に被せるようにしてガスケット２４を介在して取り付けられ、導電板２３をアンプ室１５にまで貫通させた構成になっている。そして、端子貫通孔２２に収まっている導電板２３に対して第３樹脂であるシリコーン２８がコーティングされている。
この端子貫通孔２２にはシリコーン２８で覆われた導電板２３を貫通させた状態で第１樹脂であるエポキシ樹脂２６を充填させることにより耐圧防爆に耐える構造としている。
【００３０】
このように、エポキシ樹脂２６で充填される端子貫通孔２２に貫通されている導電板２３に対してシリコーン２８をコーティングすることで、エポキシ樹脂２６が直接導電板２３に接触することを回避することができ、エポキシ樹脂２６が空気中の水分を吸収しても、その水分が直接導電板２３に影響を与えないため、絶縁抵抗の劣化を防止し、一定値以上の絶縁抵抗を保持することができるのである。
【産業上の利用可能性】
【００３１】
端子台本体に取り付けられている導電板とエポキシ樹脂を直接接触させないようにすることにより、高温環境下においてエポキシ樹脂の吸湿性の影響を排除することができるため、端子台本体と端子間の一定値以上の絶縁抵抗値を保持し、流量計としての性能を維持させることができる流量計の変換器を提供する。
【図面の簡単な説明】
【００３２】
【図１】本願発明の第１実施例の流量計の変換器の断面図である。
【図２】同、端子台本体の部分を拡大して示した断面図である。
【図３】同、端子台本体の導電板の状態を示す平面図である。
【図４】同、図３におけるＡ―Ａ線断面図である。
【図５】本願発明の第２実施例の流量計の変換器の断面図である。
【図６】同、端子台本体の部分を拡大して示した断面図である。
【図７】同、端子台本体の導電板の状態を示す平面図である。
【図８】同、図７におけるＢ―Ｂ線断面図である。
【図９】従来技術における流量計の変換器の断面図である。
【図１０】同、端子台本体の部分を拡大して示した断面図である。
【図１１】同、端子台本体の導電板の状態を示す平面図である。
【図１２】同、図１１におけるＣ―Ｃ線断面図である。
【符号の説明】
【００３３】
１０      ケース
１１      側壁
１２      隔壁
１３      端子台本体
１４      端子室
１５      アンプ室
１６      アンプ蓋
１７      プリント板
１８      接続板
１９      端子蓋
２１      端子
２２      端子貫通孔
２３      導電板
２４      ガスケット
２５      シリコーン
２６      エポキシ樹脂
２７      導通管
２８      シリコーン。
【図１】
2008191000.tif 000003
【図２】
2008191000.tif 000004
【図３】
2008191000.tif 000005
【図４】
2008191000.tif 000006
【図５】
2008191000.tif 000007
【図６】
2008191000.tif 000008
【図７】
2008191000.tif 000009
【図８】
2008191000.tif 000010
【図９】
2008191000.tif 000011
【図１０】
2008191000.tif 000012
【図１１】
2008191000.tif 000013
【図１２】
2008191000.tif 000014